(57)【要約】【課題】超解像光記録再生システムにおいて、回折限界以下の記録マークが識別できるような高再生パワーのレーザ光の照射により得られた高パワー信号における高周波数のノイズ成分の影響を除去する。【解決手段】光記録媒体１２の同一記録領域を、再生パワーのレーザ光による照射スポットＳｂ及び高再生パワーのレーザ光による照射スポットＳａにより別個に走査して、通常パワー信号及び高パワー信号を得て、これらの信号を高パワー信号処理回路２０及び通常パワー信号処理回路２２におけるハイパスフィルター２１Ｂ、２３Ｂ及びローパスフィルター２１Ｃ、２３Ｃによって平均レベルで規格化してから、減算回路２６によってこれらの信号の差分信号を得て、この差分信号と、並列処理回路２４を経た通常再生信号とをそれぞれプレイコライザ２８及び並列プレイコライザ２５Ｄによって振幅変調してから、加算回路３０で加算して合成信号を形成し、この合成信号を再生信号とする。【選択図】図１
2006196087.tif 000002
【特許請求の範囲】
【請求項１】
再生光学系による解像限界よりも小さいサイズの記録マークが形成されている光記録媒体での、前記解像限界よりも大きい記録マークの識別に必要な通常再生パワーに対して、これよりも大きい高再生パワーの再生用レーザ光により解像限界よりも小さいサイズの記録マークを識別する光記録再生方法であって、
前記光記録媒体の同一記録領域を、再生パワーのレーザ光及び高再生パワーのレーザ光により別個に走査して、通常パワー信号及び高パワー信号を得ることを特徴とする光記録再生方法。
【請求項２】
請求項１において、
前記高再生パワーのレーザ光の照射により得られる高パワー信号と、通常再生パワーのレーザ光の照射により得られる通常パワー信号とから、少なくともこれらの差分信号をとることを特徴とする光記録再生方法。
【請求項３】
請求項２において、
前記通常パワー信号を前記高パワー信号の平均レベルへ増幅することにより、規格化し、前記高パワー信号との差分信号をとることを特徴とする光記録再生方法。
【請求項４】
請求項２において、
前記高パワー信号を前記通常パワー信号の平均レベルへ減衰することにより、規格化し、前記通常パワー信号との差分信号をとることを特徴とする光記録再生方法。
【請求項５】
請求項２乃至４のいずれかにおいて、
前記通常パワー信号及び高パワー信号の帯域制限をしてから差分信号をとることを特徴とする光記録再生方法。
【請求項６】
請求項２乃至５のいずれかにおいて、
前記差分信号と前記通常パワー信号とを加えて合成信号を形成し、この合成信号を再生信号とすることを特徴とする光記録再生方法。
【請求項７】
請求項６において、
前記差分信号及びこれに加えられる通常パワー信号の波形等価をしてから加えることを特徴とする光記録再生方法。
【請求項８】
請求項１乃至６のいずれかにおいて、
同一のレーザ光を、通常再生パワーのレーザ光及び高再生パワーのレーザ光に分岐し、これらを光記録媒体の同一トラックに照射して通常パワー信号と高パワー信号を得ることを特徴とする光記録再生方法。
【請求項９】
請求項１乃至７のいずれかにおいて、
異なる光源からの通常再生パワーのレーザ光と高再生パワーのレーザ光とを、光記録媒体の同一トラックに照射して通常パワー信号と高パワー信号を得ることを特徴とする光記録再生方法。
【請求項１０】
再生光学系による解像限界よりも小さいサイズの記録マークが形成されている光記録媒体での、前記解像限界よりも大きい記録マークの識別に必要な通常の再生パワーのレーザ光を照射する再生パワーレーザ光学系と、前記通常の再生パワーに対して、これよりも大きい高再生パワーの再生用レーザ光を照射する高再生パワーレーザ光学系とを有し、前記高再生パワーの再生用レーザ光により解像限界よりも小さいサイズの記録マークを識別する光記録再生システムであって、
前記光記録媒体の同一記録領域を、前記再生パワーのレーザ光及び高再生パワーのレーザ光が別個に走査するようにされた再生光学系と、前記別個の走査により得られた、通常パワー信号及び高パワー信号を処理する回路系とを有することを特徴とする光記録再生システム。
【請求項１１】
請求項１０において、
前記高パワー信号を処理する高パワー信号処理回路と、通常パワー信号を処理する通常パワー信号処理回路と、少なくともこれら高パワー信号処理回路及び通常パワー信号処理回路の処理信号との差分信号をとる減算回路と、を有することを特徴とする光記録再生システム。
【請求項１２】
請求項１１において、
前記通常パワー信号処理回路は、前記通常パワー信号を前記高パワー信号の平均レベルへ増幅して、規格化するようにされたことを特徴とする光記録再生システム。
【請求項１３】
請求項１１において、
前記高パワー信号処理回路は、前記高パワー信号を前記通常パワー信号の平均レベルへ減衰することにより、規格化するようにされたことを特徴とする光記録再生システム。
【請求項１４】
請求項１０乃至１３のいずれかにおいて、
前記通常パワー信号処理回路及び高パワー信号処理回路は、それぞれ、前記通常パワー信号及び高パワー信号の帯域制限をしてから、前記減算回路へ出力するようにされたことを特徴とする光記録再生システム。
【請求項１５】
請求項１０乃至１４のいずれかにおいて、
前記差分信号を波形等価するプレイコライザと、並列プレイコライザを含み、前記通常パワー信号を波形等価する並列処理回路と、波形等価された前記差分信号と前記通常パワー信号とを加えて合成信号を形成し、この合成信号を再生信号とするイコライザとを設けたことを特徴とする光記録再生システム。
【請求項１６】
請求項１０乃至１５のいずれかにおいて、
前記再生パワーレーザ光学系及び高再生パワーレーザ光学系は、同一のレーザ光を、分岐光学系により分岐された通常再生パワーのレーザ光及び高再生パワーのレーザ光を、光記録媒体に導くようにされたことを特徴とする光記録再生システム。
【請求項１７】
請求項１０乃至１６のいずれかにおいて、
前記再生パワーレーザ光学系及び高再生パワーレーザ光学系は、それぞれ、通常再生パワーのレーザ光を出力する通常パワーレーザ光源及び高再生パワーのレーザ光を出力する高パワーレーザ光源を含んでなることを特徴とする光記録再生システム。
【発明の詳細な説明】
【技術分野】
【０００１】
本発明は、記録再生光学系における回折限界よりも小さい記録マークの形成、再生が可能な光記録再生方法及び光記録再生システムに関する。
【背景技術】
【０００２】
近年、例えば特許文献１に記載されるように、記録再生光学系における回折限界よりも小さい記録マークの形成、再生が可能な超解像光記録再生システムが提案されている。
【０００３】
この超解像光記録再生システムでは、光学系の回折限界を超えた微小マーク（超解像記録マーク）の記録、再生が可能であるが、その原理は未だ明確ではない。
【０００４】
このような超解像光記録再生システムにおいては、従来の光記録再生システムで用いられているような程度のパワー（通常再生パワー）の再生用レーザ光では、超解像記録マークを識別することができず、再生用レーザ先のパワーを増大する（高再生パワー）ことによって識別が可能である。
【０００５】
従って、この超解像光記録再生システムでは、再生用レーザ光のパワーを増大することにより、特に、限界よりも小さいマークが存在するときに顕著にノイズの増大を招き、再生信号品質を向上させることができないという問題点を有する。
【０００６】
従来の光記録再生システムでは、再生光学系及び再生回路から見た場合、光記録媒体は解像限界の周波数をカットオフ周波数とする一種のローパスフィルターと考えることができる。従って、再生用レーザ光のパワーを増大すれば、再生信号中におけるカットオフ周波数以下のノイズ成分もリニアに増大することになる。
【０００７】
即ち、再生用レーザ光のパワー（再生パワー）が増大して、超解像記録マークに由来するキャリア成分が発現した際には、同時にカットオフ周波数より小さいノイズ成分も再生パワーに応じてリニアに増大する。他方、カットオフ周波数より大きいノイズ成分は、再生パワーに応じて、大きく変化しない(少なくともリニアに変化しない)ため、キャリアレベルとキャリア周波数近傍のノイズレベルの差であるＣＮＲは大きいが、キャリアレベルと全ノイズレベルの比であるＳＮＲはあまり大きくならない。
【０００８】
例えば再生用レーザ光の波長が４０５ｎｍ、再生光学系のＮＡが０．８５であって、再生線速度ＣＬＶが４．９ｍ／ｓの条件で、長さが７５ｎｍの記録マーク／スペース列の単一パターンを高再生パワーで再生したＲＦ信号を図３に示す。ここで、７５ｎｍのサイズは、この再生光学系において回折限界以下の大きさに相当する。
【０００９】
図３からは、信号振幅に対して非常に大きな変動が重畳していることが分かる。このため正しい信号を復元することが困難である。従来の光記録再生システムにおいては、上記のような大きな変動（ノイズ）は、再生信号の帯域制限や波形等価により抑制あるいは除去することができたが、超解像のための高再生パワーを使用したときは、より高周波数のノイズ成分の影響が大きくなり、しかも、このノイズは信号帯域に近く、従来の方法ではノイズ成分を容易に抑制、除去することができないという問題点がある。
【００１０】
【特許文献１】特開２００３−６８７２号公報
【発明の開示】
【発明が解決しようとする課題】
【００１１】
この発明は、超解像再生の際に、再生用レーザ光のパワーを増大しても、再生信号から大きなノイズを除去することができるようにした光記録再生方法及び光記録再生システムを提供することを課題とする。
【課題を解決するための手段】
【００１２】
即ち、以下の本発明により上記課題を解決するものである。
【００１３】
（１）再生光学系による解像限界よりも小さいサイズの記録マークが形成されている光記録媒体での、前記解像限界よりも大きい記録マークの識別に必要な通常再生パワーに対して、これよりも大きい高再生パワーの再生用レーザ光により解像限界よりも小さいサイズの記録マークを識別する光記録再生方法であって、前記光記録媒体の同一記録領域を、再生パワーのレーザ光及び高再生パワーのレーザ光により別個に走査して、通常パワー信号及び高パワー信号を得ることを特徴とする光記録再生方法。
【００１４】
（２）前記高再生パワーのレーザ光の照射により得られる高パワー信号と通常再生パワーのレーザ光の照射により得られる通常パワー信号とから、少なくともこれらの差分信号をとることを特徴とする（１）に記載の光記録再生方法。
【００１５】
（３）前記差分信号と前記通常パワー信号とを加えて合成信号を形成し、この合成信号を再生信号とすることを特徴とする（２）に記載の光記録再生方法。
【００１６】
（４）前記通常パワー信号及び高パワー信号のＤＣ成分を除去してから差分信号をとることを特徴とする（２）に記載の光記録再生方法。
【００１７】
（５）前記通常パワー信号を増幅することにより、これと前記高パワー信号とを平均レベルで規格化し、差分信号をとることを特徴とする（２）乃至（４）のいずれかに記載の光記録再生方法。
【００１８】
（６）前記差分信号と前記通常パワー信号とを加えて合成信号を形成し、この合成信号を再生信号とすることを特徴とする（２）乃至（５）のいずれかに記載の光記録再生方法。
【００１９】
（７）前記差分信号及びこれに加えられる通常パワー信号の波形等価をしてから加えることを特徴とする（６）に記載の光記録再生方法。
【００２０】
（８）同一のレーザ光を、通常再生パワーのレーザ光及び高再生パワーのレーザ光に分岐し、これらを光記録媒体の同一トラックに照射して通常パワー信号と高パワー信号を得ることを特徴とする（１）乃至（６）のいずれかに記載の光記録再生方法。
【００２１】
（９）異なる光源からの通常再生パワーのレーザ光と高再生パワーのレーザ光とを、光記録媒体の同一トラックに照射して通常パワー信号と高パワー信号を得ることを特徴とする（１）乃至（７）のいずれかに記載の光記録再生方法。
【００２２】
（１０）再生光学系による解像限界よりも小さいサイズの記録マークが形成されている光記録媒体での、前記解像限界よりも大きい記録マークの識別に必要な通常の再生パワーのレーザ光を照射する再生パワーレーザ光学系と、前記通常の再生パワーに対して、これよりも大きい高再生パワーの再生用レーザ光を照射する高再生パワーレーザ光学系とを有し、前記高再生パワーの再生用レーザ光により解像限界よりも小さいサイズの記録マークを識別する光記録再生システムであって、前記光記録媒体の同一記録領域を、前記再生パ
ワーのレーザ光及び高再生パワーのレーザ光が別個に走査するようにされた再生光学系と、前記別個の走査により得られた、通常パワー信号及び高パワー信号を処理する回路系とを有することを特徴とする光記録再生システム。
【００２３】
（１１）前記高パワー信号を処理する高パワー信号処理回路と、通常パワー信号を処理する通常パワー信号処理回路と、これら高パワー信号処理回路及び通常パワー信号処理回路の処理信号とから少なくともこれらの差分信号をとる減算回路と、を有することを特徴とする（１０）に記載の光記録再生システム。
【００２４】
（１２）前記通常パワー信号処理回路は、前記通常パワー信号を前記高パワー信号の平均レベルへ増幅して、規格化するようにされたことを特徴とする（１１）に記載の光記録再生システム。
【００２５】
（１３）前記高パワー信号処理回路は、前記高パワー信号を前記通常パワー信号の平均レベルへ減衰することにより、規格化するようにされたことを特徴とする（１１）に記載の光記録再生システム。
【００２６】
（１４）前記通常パワー信号処理回路及び高パワー信号処理回路は、それぞれ、前記通常パワー信号及び高パワー信号の帯域制限をしてから、前記減算回路へ出力するようにされたことを特徴とする（１０）乃至（１３）のいずれかに記載の光記録再生システム。
【００２７】
（１５）前記差分信号を波形等価するプレイコライザと、並列プレイコライザを含み、前記通常パワー信号を波形等価する並列処理回路と、波形等価された前記差分信号と前記通常パワー信号とを加えて合成信号を形成し、この合成信号を再生信号とするイコライザとを設けたことを特徴とする（１０）乃至（１４）のいずれかに記載の光記録再生システム。
【００２８】
（１６）前記再生パワーレーザ光学系及び高再生パワーレーザ光学系は、同一のレーザ光を、分岐光学系により分岐された通常再生パワーのレーザ光及び高再生パワーのレーザ光を、光記録媒体に導くようにされたことを特徴とする（１０）乃至（１５）のいずれかに記載の光記録再生システム。
【００２９】
（１７）前記再生パワーレーザ光学系及び高再生パワーレーザ光学系は、それぞれ、通常再生パワーのレーザ光を出力する通常パワーレーザ光源及び高再生パワーのレーザ光を出力する高パワーレーザ光源を含んでなることを特徴とする（１０）乃至（１６）のいずれかに記載の光記録再生システム。
【発明の効果】
【００３０】
本発明は、回折限界以下の記録マークを高再生パワーのレーザ光により再生したときのノイズ成分を、高再生パワーと通常再生パワーの信号を増幅または減衰、帯域制限等の適当な信号処理をした後に、差分をとることにより低減、除去することができるという効果を有する。また、回折限界以下の記録マークと回折限界以上の記録マークが混在する場合、差分信号によりノイズと共に回折限界以上のマークから信号成分も除去されてしまうが、差分信号に帯域制限や波形等価等の信号処理を行った通常パワーの信号を合成することにより、ノイズのみが効率的に除去された、回折限界以上と以下の信号成分を得られるという効果を有する。
【発明を実施するための最良の形態】
【００３１】
最良の形態の光記録再生方法は、光記録媒体の同一記録領域を、通常再生パワーのレーザ光及び超解像のための高再生パワーのレーザ光により別個に走査して、通常パワー信号及び高パワー信号を得る過程と、これら高パワー信号と通常パワー信号との差分信号をとる過程と、この差分信号と前記通常パワー信号とを加えて合成信号を形成し、この合成信号を再生信号とする過程とを含んで構成し、上記課題を解決するものである。
【実施例１】
【００３２】
以下、図１を参照して、本発明の実施例１に係る光記録再生システム１０について説明する。
【００３３】
この光記録再生システム１０は、光記録媒体１２に再生用レーザ光Ｌｒを照射してその反射光から電気信号を発生させるための再生光学系１４と、この再生光学系１４から得られた電気信号を処理するための回路系１６とを含んで構成されている。
【００３４】
前記再生光学系１４は、光ヘッド（全体図示省略）に設けられた再生用レーザ光源（図示省略）からの再生用レーザ光Ｌｒを、２つのレーザビームに分岐するための分岐光学系１４Ａを有してなり、光記録媒体１２における同一のトラック１２Ａの、トラック移動方向に異なる箇所に、分岐された２つのレーザビームを照射できるようにされている。
【００３５】
前記分岐光学系１４Ａは、半透過ミラー１５Ａと、この半透過ミラー１５Ａで反射された反射光を全反射するミラー１５Ｂとを有している。半透過ミラー１５Ａは、透過光と反射光との比をほぼ３：１〜４：１の範囲で透過且つ反射するようにされている。
【００３６】
前記再生光学系１４は、前記分岐光学系１４Ａから照射された２つの再生用レーザ光の、光記録媒体１２における反射光を受光してこれを光電変換するフォトディテクター１８Ａ、１８Ｂを備えている。
【００３７】
ここで、前記分岐光学系１４Ａによって分けられた２つのレーザビームによるトラック１２Ａ上の照射スポットＳａ、Ｓｂ間の、トラック１２Ａ上の距離は、トラック１２Ａの再生時の移動速度と、図１に示される時間ｔｄとの積に等しくなるように設定されている。照射スポットＳａ、Ｓｂ間の、トラック１２Ａ上の距離は、それぞれのスポットからの迷光の影響が無い程度に離し、かつ、同一のフォーカスサーボ装置（図示省略）が利用できるように、なるべく近づけた方が好ましい。
【００３８】
前記フォトディテクター１８Ａの出力信号である高パワー信号は、前記回路系１６内の高パワー信号処理回路２０へ出力され、又、前記フォトディテクター１８Ａの出力信号である通常パワー信号は、回路系１６における通常パワー信号処理回路２２及び並列処理回路２４へそれぞれ出力されるようになっている。
【００３９】
前記高パワー信号処理回路２０は、前記フォトディテクター１８Ａ側から、遅延回路２１Ａ、ハイパスフィルター２１Ｂ、ローパスフィルター２１Ｃ、Ａ／Ｄ変換器２１Ｄを、この順で備えて構成されている。
【００４０】
前記遅延回路２１Ａは、前記２つの照射スポットＳａ、Ｓｂ間の、光記録媒体１２の再生時における時間差を補正するものであり、フォトディテクター１８Ａからの高パワー信号を時間ｔｄだけ遅延させるものである。
【００４１】
又、前記ハイパスフィルター２１Ｂ及びローパスフィルター２１Ｃは、入力信号をＡＣカップリング化すると共に、後のＡ／Ｄ変換時のエリアシングを防止するためのものである。
【００４２】
前記通常パワー信号処理回路２２は、前記フォトディテクター１８Ｂ側から、アンプ２３Ａ、ハイパスフィルター２３Ｂ、ローパスフィルター２３Ｃ及びＡ／Ｄ変換器２３Ｄを、この順で備えて構成されている。
【００４３】
更に、前記並列処理回路２４は、フォトディテクター１８Ｂ側から、ハイパスフィルター２５Ａ、ローパスフィルター２５Ｂ、Ａ／Ｄ変換器２５Ｃ、並列プレイコライザ２５Ｄを、この順で備えて構成されている。前記通常パワー信号処理回路２２中の、前記ローパスフィルター２３Ｃ及び２５Ｂは、前記ローパスフィルタ２１Ｃと同様の働きをさせると共に、通常パワー再生時に生じやすいレーザーノイズ等のスパイクノイズや不可避的に光記録媒体１２に存在するランダムノイズを除去できるよう制限する帯域をローパスフィルタ２１Ｃとは変えた方が好ましい。
【００４４】
前記通常パワー信号処理回路２２におけるアンプ２３Ａは、前記フォトディテクター１８Ｂからの通常パワー信号を、フォトディテクター１８Ａから出力される高パワー信号と同レベルとなるように増幅するものである。
【００４５】
前記回路系１６は減算回路２６を有し、この減算回路２６は、前記Ａ／Ｄ変換器２１Ｄの出力信号からＡ／Ｄ変換器２３Ｄの出力信号を減算するようにされている。この減算回路２６からの出力信号は、波形等価をするプレイコライザ２８に入力されるようになっている。
【００４６】
前記並列プレイコライザ２５Ｄとプレイコライザ２８とは、加算回路３０の前に予め入力信号を波形等価するものである。これらプレイコライザ２８及び並列プレイコライザ２５Ｄの出力信号は、加算回路３０において加算された後に、イコライザ３２において最終的に波形等価され、デコーダ３４において、再生信号に復元されるようになっている。
【００４７】
図１の符号３６はタイミング復旧回路、３８はタップコントローラをそれぞれ示す。
【００４８】
タイミング復旧回路３６は、イコライザ３２からデコーダ３４に出力される信号に基づいて、前記Ａ／Ｄ変換器２１Ｄ、２３Ｄ、並列プレイコライザ２５Ｄ、プレイコライザ２８、イコライザ３２及びタップコントローラ３８の動作タイミングのずれを復旧させるものである。なお、上記実施例１において、高再生パワー及び通常再生パワーのレーザ光は、分岐光学系１４Ａによって再生用レーザ光Ｌｒから分岐され、２つのレーザ光学系（再生パワーレーザ光学系及び高再生パワーレーザ光学系）から照射されるものであるが、本発明はこれに限定されるものでなく、例えば、回折格子により分岐しても良く、更に、同一のレーザ光源のパワーを変えて、即ち再生パワーレーザ光学系と高再生パワーレーザ光学系に切替えて、光記録媒体の同一箇所をそれぞれ走査して、通常パワー信号と高パワー信号を得るようにしてもよい。
【００４９】
又、異なるレーザ光源を用いて、再生パワーレーザ光学系及び高再生パワーレーザ光学系として、再生パワーのレーザ光と高再生パワーのレーザ光とを、光記録媒体の同一トラックに照射して通常パワー信号と高パワー信号とを得るようにしてもよい。
【００５０】
又、減算回路前にさらにイコライザを設けて、二つのスポット間の再生パワー差で生じる可能性のあるのスポット形状の差やスポット内の光強度分布の差を補正するようにしてもよい。
【実施例２】
【００５１】
次に、解像限界よりも小さいサイズの記録マークが記録されている光記録媒体１２に前記のような再生パワーレーザ光学系及び高再生パワーレーザ光学系から再生パワーのレーザ光と高再生パワーのレーザ光を照射して、記録を再生する方法の実施例について説明する。
【００５２】
図２に示されるように、記録媒体１２は、光入射面側より、0.1mmのUV樹脂層１３Ａ、ZnSとSiO2より成る誘電体層１３Ｂ、酸化白金の記録層１３Ｃ、ZnSとSiO2より成る誘電体
層１３Ｄ、SbとTeより成る光吸収層１３Ｅ、ZnSとSiO2より成る誘電体層１３Ｆ、銀合金
よりなる反射層１３Ｇ、ポリカーボネートから成る支持基板１３Ｈを備えている。
【００５３】
この実施例２での再生条件は、再生用レーザ光の波長が４０５ｎｍ、再生光学系のＮＡが０．８５、再生線速度が４．９ｍ／ｓであり、この条件での回折限界は２０．７ＭＨｚであり、これは、記録マークの長さにして１１９ｎｍに相当する。光記録媒体１２には、予め長さ７５ｎｍの記録マーク／スペース列の単一パターンを記録した。これは、周波数３３ＭＨｚに相当する。
【００５４】
図３に７５ｎｍの記録マーク／スペース列の単一パターンを再生した際のＣＮＲと再生パワー出力の関係を示す。この図３において、通常再生パワー０．８ｍＷでは、超解像再生が起こらないので、３３ＭＨｚのキャリア成分が現われないが、高再生パワー２．６ｍＷで再生した場合、高パワー信号には３３ＭＨｚのキャリア成分が発生し、ＣＮＲにして４７ｄＢと高い特性が得られていることが観察される。
【００５５】
しかしながら、図４に示されるように、再生用レーザ光の高再生パワーへの増加分に応じて、光記録媒体１２から得られたＲＦ信号におけるＤＣ成分が増加し、ＲＦ信号の平均レベルが約３．３倍の大きさになっていて、しかも、もともと存在したノイズ成分も約３．３倍に増加して、信号振幅より大きな変動となっていることも分かる。
【００５６】
図５は、最初に、高再生パワーにあたる2.6mWの再生出力において、予め記録された長
さ７５ｎｍの記録マーク／スペース列の単一パターンを再生し、平均の信号レベルを取得した後に、ＡＣカップリングし、十分な分解能を有するデジタルオシロスコープでＡ／Ｄ変換した後に、そのデータを記録したものである。この信号波形には、回折限界以下のキャリア成分も、回折限界以上のノイズ成分も含まれている。
【００５７】
図６は、通常再生パワーにあたる０．８mWの再生出力において、前記と同様に同一のトラックを再生し、先に取得した高再生パワーの平均レベルになるように増幅し、ＡＣ-カ
ップリングを行い、十分な分解能を有するデジタルオシロスコープでＡ／Ｄ変換した後に、ローパスフィルタ(＝スムージング)により帯域制限を行い、そのデータを記録したものである。この信号波形には、回折限界以下のキャリア成分は含まれておらず、主に回折限界以上のノイズ成分だけが含まれている。
【００５８】
先の高再生パワーでの再生信号（図５参照）と通常再生パワーでの再生信号（図６参照）の、同期をとった後に差分した信号が、図７に示されるようになり、キャリア成分のみが残り、ノイズ成分が除去されていることがわかる。
【００５９】
前記ノイズ成分の除去効果は、更に詳細に示される図８から分かる。この図８において、上半分が、帯域制限をしなかった場合の、高再生パワー信号、通常パワー信号、これらの差分信号をそれぞれ示している。又、図８の下半分は、上から、高パワー信号、帯域制限された通常パワー信号、これらの差分信号をそれぞれ示している。
【００６０】
図８における上段及び下段の、差分信号の図中の矢印部分では、上段と下段の比較において、ノイズ成分が良好に除去されていることが分かる。
【００６１】
なお、図８の下段における帯域制限とは、通常再生パワーで再生した信号波形にローパスフィルタをかけた場合と等価となる。この場合、実際にフィルタをかけることなく、例えばデータ点１０点を平均して、ローパスフィルタをかけた場合と等価になるような処理をしてもよい。
【００６２】
もし、回折限界以上のキャリア成分と回折限界以下のキャリア成分が混在した場合、上記のままでは、回折限界以上のキャリア成分もノイズと共に除かれてしまうため、この差分信号にノイズ成分の少ない通常再生パワーでの再生信号を適当な処理をした後に再び合成する必要がある。
【図面の簡単な説明】
【００６３】
【図１】本発明の実施例に係る光記録再生システムを示すブロック図
【図２】本発明の実施例に係る記録再生方法により記録を再生する光記録媒体を模式的に示す拡大断面図
【図３】同方法によって前記光記録媒体から得られたＲＦ信号を示す線図
【図４】同光記録再生システムにおいて通常再生パワー及び高再生パワーのレーザ光照射により光記録媒体から得られたＲＦ信号を示す線図
【図５】同光記録再生システムによって高再生パワー照射による高パワー信号の、平均レベルで規格化した後のＲＦ信号を示す線図
【図６】通常再生パワーによって得られた通常パワー信号を増幅してから平均レベルで規格化したＲＦ信号を示す線図
【図７】図３及び図４に示されるＲＦ信号の差分信号を示す線図
【図８】高パワー信号、通常パワー信号及びこれらの差分信号を、待機制限をしなかった場合とした場合とを比較して示す線図
【符号の説明】
【００６４】
１０…光記録再生システム
１２…光記録媒体
１２Ａ…トラック
１４…再生光学系
１４Ａ…分岐光学系
１６…回路系
１８Ａ、１８Ｂ…フォトディテクター
２０…高パワー信号処理回路
２１Ａ…遅延回路
２１Ｂ、２３Ｂ、２５Ａ…ハイパスフィルター
２２…通常パワー信号処理回路
２３Ａ…アンプ
２４…並列処理回路
２５Ｄ…並列プレイコライザ
２６…減算回路
２８…プレイコライザ
３０…加算回路
３２…イコライザ
Ｌｒ…再生用レーザ光
Ｓａ、Ｓｂ…照射スポット
【図１】
2006196087.tif 000003
【図２】
2006196087.tif 000004
【図３】
2006196087.tif 000005
【図４】
2006196087.tif 000006
【図５】
2006196087.tif 000007
【図６】
2006196087.tif 000008
【図７】
2006196087.tif 000009
【図８】
2006196087.tif 000010